(57)【要約】【課題】水洗い時におけるモップ糸の絡み防止機能と、濡れたモップ糸の絞り機能とを備えた、衛生的で取り扱い易い水拭き用モップを得る。【解決手段】柄１の先端に取り付けた横長棒状のモップ基台２に、モップ糸３を取り付けると共に回転板４を取り付け、この回転板４は、上記モップ基台２の長さＷ２に近似する横方向長さＷ４と、上記モップ糸３の長さＬ３に近似する縦方向長さＬ４とを有し、基端部を上記モップ基台２に回動自在に連結することにより、上記モップ糸３に沿う方向に延びて該モップ糸３の側面に接する絞り位置と、上記柄１に沿う方向に延びて該柄１に係止する反転位置とに変移可能なるように構成される。【選択図】        図１
2005000443.tif 000002
【特許請求の範囲】
【請求項１】
握持用の柄、
上記柄の先端に取り付けられて下面に糸取付部を有する横長のモップ基台、
上記モップ基台の糸取付部に取り付けられたモップ糸、
上記モップ基台における糸取付部の長さに近似する横方向長さと、上記モップ糸の長さに近似する縦方向長さとを有し、基端部を上記モップ基台に該モップ基台の軸線と平行な軸線の回りに回動自在なるように連結されることにより、上記モップ糸に沿う方向に延びて該モップ糸の側面に接する絞り位置と、上記柄に沿う方向に延びて該柄に係止する反転位置とに変移可能なるように構成された硬質プレート状の回転板、
を有することを特徴とする水拭き用モップ。
【請求項２】
上記回転板が、上記絞り位置に回動したとき外側を向く面に、モップ糸を絞る際に足で踏むための踏板を有することを特徴とする請求項１に記載のモップ。
【請求項３】
上記踏板が、上記回転板に沿って縦方向にスライド自在であることを特徴とする請求項２に記載のモップ。
【請求項４】
上記回転板と踏板とが、複数の孔を有する穿孔板であることを特徴とする請求項２又は３に記載のモップ。
【請求項５】
上記モップ基台が、角形断面を有する横長の棒状をしていて、上記糸取付部を形成する下面と、上記回転板側の第１側面と、反対側の第２側面と、上記柄が取り付けられた上面とを有し、該上面が、上記第１側面側から第２側面側に向けて次第に低くなるように傾斜していることを特徴とする請求項１から４までの何れかに記載のモップ。
【発明の詳細な説明】
【０００１】
【発明の属する技術分野】
本発明は水拭き用のモップに関するものであり、更に詳しくは、水洗い時におけるモップ糸の絡み防止機能と、濡れたモップ糸の絞り機能とを備えた水拭き用のモップに関するものである。
【０００２】
【従来の技術】
床面等の清掃対象を水拭きするモップは、一般に、柄の先端に矩形断面を有する横長棒状のモップ基台取り付け、このモップ基台の下面に多数のモップ糸を取り付けた構成を有している。
【０００３】
このようなモップで清掃対象を拭き清掃するときは、容器内の水にモップ糸を浸して水を含ませたあと、該モップ糸を絞ることによって含水量を調節するようにしているが、容器内の水にモップ糸をモップ基台ごと浸漬すると、該モップ糸の一部が水中を浮遊してモップ基台を乗り越え、その状態でモップ糸同士が相互に絡み合い易い。一旦絡み合ったモップ糸は自然には解けないため、一々手作業で解かなければならず、多くの手間を要するだけでなく、非衛生でもあった。
【０００４】
また、濡れたモップ糸を絞る場合、容器に絞り器が付いている場合はそれを使用すれば良いが、絞り器が付いていない場合には、手で直接モップ糸を掴んで絞るか、靴底で踏んで絞るようにしなければならず、非常に非衛生的であるとか、靴が濡れ易いと行った問題があった。
【０００５】
【発明が解決しようとする課題】
本発明の課題は、上述した従来の問題点に鑑み、水洗い時におけるモップ糸の絡み防止機能と、濡れたモップ糸の絞り機能とを備えた、衛生的で取り扱い易い水拭き用モップを提供することにある。
【０００６】
【課題を解決するための手段】
上記課題を解決するため本発明によれば、握持用の柄、上記柄の先端に取り付けられて下面に糸取付部を有する横長のモップ基台、上記モップ基台の糸取付部に取り付けられたモップ糸、上記モップ基台における糸取付部の長さに近似する横方向長さと、上記モップ糸の長さに近似する縦方向長さとを有し、基端部を上記モップ基台に該モップ基台の軸線と平行な軸線の回りに回動自在なるように連結されることにより、上記モップ糸に沿う方向に延びて該モップ糸の側面に接する絞り位置と、上記柄に沿う方向に延びて該柄に係止する反転位置とに変移可能なるように構成された硬質プレート状の回転板、を有することを特徴とする水拭き用モップが提供される。
【０００７】
上記構成を有するモップで清掃対象を拭き清掃するに当たり、モップ糸を容器内の水に浸して水を含ませる場合には、回転板を反転位置に回動させて柄に係止させた状態にしておく。すると、この回転板がモップ糸と実質的に同じ長さを有しているため、この回転板が障壁となってモップ糸がモップ基台を乗り越えることができなくなり、モップ糸の絡み合いが確実に防止される。
【０００８】
また、濡れたモップ糸を絞る場合には、該モップ糸を容器に設けた絞り台の上に載置し、上記回転板をこのモップ糸の上に当接する絞り位置に回動させ、この回転板を靴で踏むなどして押圧する。この場合、上記回転板が、モップ基台における糸取付部の長さに近似する横方向長さとモップ糸の長さに近似する縦方向長さとを有しているため、モップ糸全体を簡単かつ効率良く絞ることができる。
【０００９】
本発明において好ましくは、上記回転板が、上記絞り位置に回動したとき外側を向く面に、モップ糸を絞る際に足で踏むための踏板を有していることである。より好ましくはこの踏板が、上記回転板に沿って縦方向にスライド自在であることである。また、上記回転板と踏板とは、複数の孔を有する穿孔板であることが望ましい。
回転板に上述したような踏板を設けることにより、モップ糸の絞り作業が非常に簡単になる。
【００１０】
また、本発明において上記モップ基台は、角形断面を有する横長の棒状をしていて、上記糸取付部を形成する下面と、上記回転板側の第１側面と、反対側の第２側面と、上記柄が取り付けられた上面とを有し、該上面が、上記第１側面側から第２側面側に向けて次第に低くなるように傾斜していることが望ましい。
【００１１】
モップ基台の上面をこのような向きに傾斜させることにより、モップ糸に水を含ませる場合に、該モップ糸が、回転板とは反対側の第２側面側からモップ基台の上面に乗り上げたとしても、該上面の傾斜に沿って滑り落ち、乗り上げ状態のまま相互に絡み合うようなことがない。
【００１２】
【発明の実施の形態】
以下、本発明に係る水拭き用モップの好ましい実施形態について説明する。図１〜図５に示す第１実施例のモップＭ１は、握持用の柄１と、該柄１の先端に取り付けられたモップ基台２と、該モップ基台２に取り付けられた多数のモップ糸３と、上記モップ基台２に回動自在に取り付けられた回転板４とを備えている。
【００１３】
上記モップ基台２は、合成樹脂によって角形断面を有する横長の棒状に形成されたもので、上記モップ糸３を取り付けるための糸取付部となる下面１０と、相対する第１側面１１ａ及び第２側面１１ｂと、上記柄１が取り付けられた上面１２とを有している。この上面１２は傾斜面となっていて、上記第１側面１１ａ側から第２側面１１ｂ側に向けて次第に低くなる方向に傾斜しており、該上面１２の中央部に上記柄１を接続するための筒状の接続部１４が設けられ、この接続部１４に上記柄１を差し込んで固定することにより、該柄１がモップ基台２の軸線に対して直角に取り付けられている。また、上記第１側面１１ａと第２側面１１ｂとは、互いに平行であっても、あるいは上面１２側に向かって互いの間隔が次第に狭まる方向に傾斜していても良い。この場合、第２側面１１ｂは下面１０と直角で、第１側面１１ａだけが次第に第２側面１１ｂ側に向けて傾斜していても良い。
【００１４】
また、上記モップ糸３は、吸水性を有する細い繊維を複数本撚り合わせて数ｍｍの太さ、具体的には３〜５ｍｍ程度の太さに形成されており、このような多数のモップ糸３が、上記モップ基台２の下面１０の糸取付部に、該モップ基台２から下向きに延出するように束状に取り付けられている。
【００１５】
さらに、上記回転板４は、足で踏んでも簡単には塑性変形しない程度の強度を備えた硬質の合成樹脂板又は金属板によって、角に丸みがついた略矩形形状に形成されたもので、上記モップ基台２における糸取付部の長さＷ２に近似する横方向長さＷ４と、上記モップ糸３の長さＬ３に近似する縦方向長さＬ４とを有し、その基端部が、上記モップ基台２における第１側面１１ａ側の下端部寄りの位置に、２つのヒンジ機構１５，１５で該モップ基台２の軸線と平行な軸線の回りに回動自在なるように連結されている。これによって該回転板４は、図４又は図５に示すように上記モップ糸３に沿う方向に延びてモップ糸束３Ａの側面に接する絞り位置イと、図１〜図３に示すように上記柄１に沿う方向に延びて該柄１に係止する反転位置ロとに変移可能である。
【００１６】
上記回転板４を反転位置ロで柄１に係止させるため、該回転板４の中央先端部寄りの位置には、相対する一対の弾性挟持片１７，１７が設けられ、上記反転位置ロでこれらの弾性挟持片１７，１７間に柄１を弾力的に嵌合、挟持させるようにしている。また、この回転板４の上記絞り位置イに回動したとき外側を向く第１面４ａは、モップ糸３を絞る際に足で踏むための踏面となっている。なお、この回転板４は、図示したように、複数の孔１８を有する穿孔板であることが望ましいが、無孔板であっても構わない。。
【００１７】
上記構成を有するモップＭ１は、通常のモップと同様に、モップ糸３に水を含ませて床面等の清掃対象を拭き清掃するが、その際、図６に示すように、モップ糸３に水を含ませるために該モップ糸３を容器１９内の水２０に浸すときは、上記回転板４を反転位置ロに回動させて柄１に係止させた状態にしておく。こうすることにより、この回転板４が、モップ基台２の長さＷ２と実質的に同じ横方向長さＷ４と、モップ糸３の長さＬ３と実質的に同じ縦方向長さＬ４とを有しているため、水中で上記モップ糸３が浮遊状態となっても、この回転板４が障壁となってモップ糸３がモップ基台２を乗り越えて反対側に延出することができず、この結果、モップ糸３の絡み合いが確実に防止される。
【００１８】
この場合、上記モップ糸３は、回転板４の設置側である第１側面１１ａ側からはモップ基台２上に全く乗り上げることはできない。一方、反対側の第２側面１１ｂ側からはモップ基台２の上面１２に乗り上げることはできるが、該上面１２は第２側面１１ｂ側が低い傾斜面となっているため、乗り上げたモップ糸３は、モップ基台２を水中から引き上げる際に該上面１２から傾斜に沿って滑り落ち、乗り上げ状態のまま相互に絡み合うようなことがない。
【００１９】
また、濡れたモップ糸３を絞る際には、図４又は図５に示すように、該モップ糸３を容器１９の一部に設けた絞り台２１かあるいは適宜の場所に横に引き延ばした状態に置き、上記回転板４を絞り位置イに回動させてモップ糸束３Ａの上に当接させ、その状態でこの回転板４の踏面である第１面４ａを靴で踏むなどして押圧することにより、上記モップ糸３を圧搾する。この場合、上記回転板４が、モップ糸３の長さＬ３と実質的に同じ縦方向長さＬ４と、モップ基台２の長さＷ２に近似する横方向長さＷ４とを有しているため、モップ糸３全体を簡単かつ効率良く絞ることができる。また、モップ糸３を直接靴で踏む場合には、該靴がモップ糸束内に食い込んで靴全体が水に濡れ易いが、この実施例では、硬質の回転板４を介してモップ糸３を踏むようにしているため、該回転板４が穿孔板であっても、孔１８を通して第１面４ａ側に滲出する水で靴底が若干濡れる程度で、靴全体が濡れるようなことはない。
なお、濡れたモップ糸３を絞る場合、柄１を図４と図５の間の任意の角度に保って絞ることもできる。
【００２０】
図７及び図８は本発明の第２実施例を示すもので、この第２実施例のモップＭ２は、回転板４Ａに足で踏むための踏板５が設けられている点で上記第１実施例のモップＭ１と相違している。即ち、このモップＭ２の回転板４Ａには、それが図７のように絞り位置イに回動したとき外側を向く第１面４ａに、上記踏板５が該回転板４Ａの縦方向にスライド自在なるように取り付けられている。この踏板５は矩形形状をしていて、その縦方向長さＬ５は、回転板４Ａの縦方向長さＬ４（図３参照）の約１／２か、あるいは１／２前後に形成されており、また、その横方向長さＷ５は、回転板４Ａの横方向長さＷ４（図３参照）より若干短く形成されている。
【００２１】
上記踏板５をスライド自在に取り付けるため、上記回転板４Ａには、その第１面４ａの左右両側端部寄りの位置に、縦方向に延びる一対のレール３０，３０が平行に設けられると共に、これらのレール３０，３０よりもさらに側端部寄りの位置に、第１面４ａから立ち上がる脚部３１ａと該脚部３１ａの上端から第１面４ａと平行に延びる係止部３１ｂとからなる逆Ｌ字形をした複数のフック３１が形成されており、これに対して踏板５には、回転板４Ａと接する第１面（下面）の左右両側端部寄りの位置に、上記レール３０，３０が摺動自在に嵌合する一対の摺動溝３３，３３が縦方向に形成されると共に、左右両側端部に、上記フック３１の係止部３１ｂの下面に摺動自在に係合する張出縁３４がそれぞれ形成されている。この張出縁３４は、踏板５の全長にわたり延びていて、その厚さは踏板５の厚さより薄く形成されており、これに合わせて上記各フック３１が、踏板５より上方に突出しない高さに形成されている。
【００２２】
かくして踏板５を回転板４Ａに取り付けることにより、図７に示すように、該回転板４Ａを絞り位置イに回動させてモップ糸３を絞る際に、該踏板５を足で踏みながら回転板４Ａに沿ってスライドさせることにより、モップ糸３全体を満遍なく均等に絞ることができる。この場合、上記各フック３１が踏板５の上面である第２面５ａより低い位置に形成されていて、該上面より上方に突出していないため、踏板５を足で踏みながらスライドさせる際にこれらのフック３１が邪魔になることがない。
【００２３】
また、上記踏板５の上面である第２面５ａには、その中央位置に縦向きに延びる円弧状の凹溝３５が形成されていて、この凹溝３５を挟んで相対する左右の領域に、複数の孔３６がそれぞれ形成されると共に、複数の突条３７が該踏板５の横幅方向に向けて平行に形成されている。上記凹溝３５は、踏板５を図８に示す反転位置ロに回動させたとき、柄１が嵌合して該柄１と踏板５とがぶつからないようにするためのものであるが、踏板５を図７に示す絞り位置イに回動させてモップ糸３を絞る際に、該モップ糸３から滲出した水が孔３６を通じて該踏板５上に溢れ出たとき、この水を速やかに回転板４Ａ上に流下させる機能をも有している。これにより、靴を殆ど濡らすことなくモップ糸を絞ることができる。また、上記突条３７は、足で踏板５をスライドさせるとき靴底に係止し、滑りにくくする機能を有している。
【００２４】
なお、この第２実施例のように回転板４Ａに踏板５を設け、この踏板５を介して回転板４Ａを押圧する場合には、該踏板全体を通じて押圧力が均等に作用するため、該回転板４Ａは局部的な変形を生じにくく、従って、その肉厚及び強度は第１実施例の回転板４よりも小さくすることができる。
【００２５】
上記第２実施例の上記以外の構成及び作用は第１実施例と実質的に同じであるから、それらの同一構成部分に第１実施例と同じ符号を付してその説明は省略する。
【００２６】
なお、上記各実施例では、モップ基台２の上面１２が傾斜面となっているが、該上面１２は必ずしも傾斜している必要はなく、下面１０とほぼ平行する平らな面であっても良い。このようにモップ基台２の上面１２が傾斜していない場合でも、第２側面１１ｂ側から一部のモップ糸３がこの上面１２に乗り上げた場合、乗り上げたモップ糸３は、回転板４，４Ａによって反対側の第１側面１１ａ側に乗り越えるのが阻止され、上面１２上に止まっているだけであるため、モップ基台２を水中から引き上げる際に該上面１２から滑り落ち、乗り上げ状態のまま相互に絡み合うようなことはない。
【００２７】
また、上記モップ基台２は、必ずしも各実施例に示すような角形断面の棒状をしている必要はなく、糸取付部となる下面１０を備えていて、上記回転板４，４Ａが取り付けられていれば、その他の断面形状を有していても良い。
【００２８】
【発明の効果】
かくして本発明によれば、水洗い時におけるモップ糸の絡み防止機能と、濡れたモップ糸の絞り機能とを備えた、衛生的で取り扱い易い水拭き用モップを提供することができる。
【図面の簡単な説明】
【図１】本発明に係る水拭き用モップの第１実施例を示す正面図である。
【図２】図１の側面図である。
【図３】図１の要部の背面図である。
【図４】水に浸したモップ糸の絞りかたの一例を示す側面図である。
【図５】水に浸したモップ糸の絞りかたの他例を示す側面図である。
【図６】モップ糸を水に浸した状態を示す断面図である。
【図７】本発明に係る水拭き用モップの第２実施例を示す要部斜視図で、回転板を絞り位置に回動させた状態を示すものである。
【図８】図７の第２実施例において、回転板を反転位置に回動させた状態を示す要部斜視図である。
【符号の説明】
Ｍ１，Ｍ２      モップ
１      柄
２      モップ基台
３      モップ糸
４，４Ａ      回転板
４ａ      第１面
５      踏板
１０      下面（糸取付部）
１１ａ      第１側面
１１ｂ      第２側面
１２      上面
Ｗ２      糸取付部の長さ
Ｗ４      回転板の横方向長さ
Ｌ３      モップ糸の長さ
Ｌ４      回転板の縦方向長さ
【図１】
2005000443.tif 000003
【図２】
2005000443.tif 000004
【図３】
2005000443.tif 000005
【図４】
2005000443.tif 000006
【図５】
2005000443.tif 000007
【図６】
2005000443.tif 000008
【図７】
2005000443.tif 000009
【図８】
2005000443.tif 000010